(57)【特許請求の範囲】
【請求項１】
天壁から垂下する周壁と該周壁から突出するノズルを有して、当該ノズルの先端に形成された開口部より容器からの内容物が注出される合成樹脂製のノズル付きキャップに、
前記開口部を密封すると共に把持部が設けられた凸状の密封部を有して、当該密封部が可動部を介してノズル付きキャップに固定される基部に連結された合成樹脂製の密封部材を設け、
当該密封部材又はノズル付きキャップは、当該ノズル付きキャップ又は密封部材をインサート品として互いに異なる樹脂を用いて剥離可能に一体に成形されたものであることを特徴とする、ノズル付き密封キャップ。
【請求項２】
請求項１において、前記密封部材は、可撓性を有する樹脂からなることを特徴とする、ノズル付き密封キャップ。
【請求項３】
請求項１又は２において、前記可動部は、天壁に固定された前記基部から周壁及びノズルに沿って密着状態で延在する偏平な形状を有するものであることを特徴とする、ノズル付き密封キャップ。
【請求項４】
請求項３において、前記可動部に、幅方向に横断する凹部を設けたことを特徴とする、ノズル付き密封キャップ。
【請求項５】
請求項３又は４において、前記天壁に外気導入孔を形成し、当該外気導入孔を前記可動部と密着する位置に配置すると共に、当該可動部に、外気導入孔を密封する凸状部を設けたことを特徴とする、ノズル付き密封キャップ。
【請求項６】
請求項１乃至５のいずれか１項において、前記密封部材に、ノズル付きキャップに形成した凹部と嵌合して前記開口部の開封状態を維持する凸部を設けたことを特徴とする、ノズル付き密封キャップ。
【発明の詳細な説明】
【技術分野】
【０００１】
本発明は、容器の口部に装着されて開口部を通して内溶液が注出されるノズル付きキャップであって、その未使用状態を視認できると共に、使用に際して容易に取り外すことのできるノズル付き密封キャップに関するものである。
【背景技術】
【０００２】
容器に装着されるキャップとしては、「醤油さし」のように、ノズルの先端に形成された開口部を通して内容物の注出を行うことができるノズル付きキャップがある。こうしたノズル付きキャップは、従来、容器と共に薄いフィルム（シート）を被せて密封することで、その未使用状態を維持していた（例えば、特許文献１参照）。
【先行技術文献】
【特許文献】
【０００３】
【特許文献１】実開昭６２−４０９２３号公報
【発明の概要】
【発明が解決しようとする課題】
【０００４】
しかしながら、フィルムを被せて未使用状態を維持する場合、キャップの生産と別工程で行う必要があり、容器に適用して製品とする際の生産性についても改善の余地があった。
【０００５】
また、フィルムを被せる場合には、使用に際し、フィルムを剥がさなければならないところ、フィルムを剥がし難い場合等の理由で改善の余地があった。
【０００６】
更に、フィルムを剥がした後には、ノズルの開口部を密封することができなかった。
【０００７】
本発明の目的とするところは、密封部材を一体に設けることができると共に、使用に際しての取り外しが容易で、更に、密封部材としての再利用が可能な、新規なノズル付き密封キャップを提供することにある。
【課題を解決するための手段】
【０００８】
本発明は、天壁から垂下する周壁と該周壁から突出するノズルを有して、当該ノズルの先端に形成された開口部より容器からの内容物が注出される合成樹脂製のノズル付きキャップに、前記開口部を密封すると共に把持部が設けられた凸状の密封部を有して、当該密封部が可動部を介してノズル付きキャップに固定される基部に連結された合成樹脂製の密封部材を設け、当該密封部材又はノズル付きキャップは、当該ノズル付きキャップ又は密封部材をインサート品として互いに異なる樹脂を用いて剥離可能に一体に成形されたものであることを特徴とするものである。
【０００９】
前記密封部材は、可撓性を有する樹脂からなるものとすることができる。
【００１０】
前記可動部は、天壁に固定された前記基部から周壁及びノズルに沿って密着状態で延在する偏平な形状を有するものとすることができる。この場合、当該可動部に、幅方向に横断する凹部を設けることが好ましい。また、前記天壁に外気導入孔を形成し、当該外気導入孔を前記可動部と密着する位置に配置すると共に、当該可動部には、外気導入孔を密封する凸状部を設けることが好ましい。
【００１１】
また、前記密封部材には、ノズル付きキャップに形成した凹部と嵌合して前記開口部の開封状態を維持する凸部を設けることができる。
【発明の効果】
【００１２】
本発明によれば、密封部材は、ノズル付きキャップの一部として一体成形することができる。このため、容器に適用して製品とする際には、容器の口部に装着すればよい。従って、本発明は、容器に適用して製品とする際の生産性に優れる。
【００１３】
また、ノズル付きキャップと密封部材とを一体成形したことで、ノズル付きキャップと密封部材とは擬似接着されているにすぎない。このため、ノズル付きキャップの開封を容易に行うことができる。更に、密封部材はノズル付きキャップ全体を覆うのではなく、当該キャップの一部として局所的に一体成形されているので、キャップの開封を容易に行うことができる。
【００１４】
加えて、密封部が開口部を密封する凸状として構成されていると共に、可動部を介してノズル付きキャップに固定されている。このため、密封部は、ノズル付きキャップを開封した後も、開口部を密封するためのキャップとして用いることができる。
【００１５】
従って、本発明によれば、密封部材を一体に設けることができると共に、使用に際しての取り外しが容易で、更に、密封部材としての再利用が可能な、新規なノズル付き密封キャップを提供することができる。
【図面の簡単な説明】
【００１６】
【図１】(a)は、本発明のノズル付き密封キャップの第１の形態を示す斜視図であり、(b)は、密封部を引き剥がしたノズル付きキャップを示す斜視図である。
【図２】図１のＡ−Ａ断面図である。
【図３】図２のＢ−Ｂ断面図であって、容器の口部に装着した状態を示す。
【図４】(a)は、図３の要部拡大図であり、(b)は、本発明の第２の形態を示す斜視図である。
【発明を実施するための形態】
【００１７】
以下、図面を参照して、本発明である、ノズル付き密封キャップの様々な形態を詳細に説明する。
【００１８】
図１(a)は、本発明の第１の形態である。符号１は、図１(a)に示すように、天壁２とこの天壁２から垂下する周壁３とを有し、この周壁３に少なくとも１つのノズル４が形成された合成樹脂製のノズル付きキャップである。ノズル付きキャップ１は、図３に示すように、その内側にめねじ部１ｓを有し、中栓５０に形成されたおねじ５０ｓにねじ付けられる。中栓５０は、切り離し可能な封止栓５１を有し、容器１００の口部１１０に嵌合保持されている。
【００１９】
ノズル４の先端４ａには、図１(b)に示すように、開口部Ａ1が形成されている。また、ノズル付きキャップ１は、図３に示すように、中栓５０との間に空間Ｓを形成し、この空間Ｓに、封止栓５１に繋がるプルリング５２を収納する。これにより、ノズル付きキャップ１を中栓５０から取り外して封止栓５１を抜栓した後、再度、中栓５０にねじ付けると、ノズル４に形成された通路５を通して容器１００の内容液を開口部Ａにより注出できる。
【００２０】
符号６は、開口部Ａ1を密封する合成樹脂製の密封部材である。密封部材６は、図１(b)等に示すように、開口部Ａ1を密封する凸状の密封部６ａを有して、この密封部６ａが可動部６ｃを介してノズル付きキャップに固定された基部６ｂに一体に成形されている。
【００２１】
密封部材６は、例えば、ノズル付きキャップ１に対して密封部材６をインサート品として、互いに異なる樹脂を用いて剥離可能に一体に射出成形されている。ノズル付きキャップ１は、例えば、ポリプロピレンで構成されている。また、密閉部材６は、例えば、可撓性を有するエラストマ等で構成されている。
【００２２】
更に詳細には、基部６ｂは、図３に示すように、天壁２に抜け止め保持されている。更に詳細には、基部６ｂは、図４(a)に示すように、可動部６ｃと一体に繋がると共に天壁２の上面に密着固定される上板部６ｂ1と、天壁２の下面（裏面）に密着固定される下板部６ｂ2とを有し、互いを連結する連結部６ｂ3が天壁２に形成された貫通孔２ａを通って一体に成形されている。これにより、基部６ｂは、天壁２に抜け止めされた状態に保持固定されている。
【００２３】
また、可動部６ｃは、図１(a)等に示すように、天壁２に固定された基部６ｂから周壁３及びノズル４に沿って密着状態で延在する偏平な形状を有する。また、可動部６ｃには、幅方向に横断する薄肉の凹部６ｄが設けられている。これにより、密閉部材６は、図１(b)に示すように、凹部６ｄ（ヒンジと同様の機能を有する）を起点に容易に押し上げることができる。
【００２４】
更に、可動部６ｃは、密封部６ａよりも更に下方に垂下することで、その飛び出した部分が把持部６ｅとして機能する。この場合、使用者は、把持部６ｅを持って上向きに引き上げることで、密封部６ａと共にその他の可動部６ｃをノズル付きキャップ１から順次引き剥がせる。
【００２５】
本発明によれば、密封部材６は、ノズル付きキャップ１の一部として一体成形することができる。このため、容器１００に適用して製品とする際には、容器１００の口部１１０に装着すればよい。従って、本発明は、図３に示すように、容器１００に適用して製品とする際の生産性に優れる。
【００２６】
また、ノズル付きキャップ１と密封部材６とを一体成形したことで、ノズル付きキャップ１と密封部材６とは擬似接着されているにすぎない。このため、ノズル付きキャップ１の開封を容易に行うことができる。更に、密封部材６は、図１(a)等に示すように、ノズル付きキャップ１の全体を覆うのではなく、当該キャップ１の一部として局所的に一体成形されているので、キャップ１の開封を容易に行うことができる。
【００２７】
加えて、密封部６ａが開口部Ａ1を密封する凸状として構成されていると共に、可動部６ｃを介してノズル付きキャップ１に固定されている。このため、密封部６ａは、ノズル付きキャップ１を開封した後も、開口部Ａを密封するためのキャップとして用いることができる。
【００２８】
従って、本発明によれば、密封部材６を一体に設けることができると共に、使用に際しての取り外しが容易で、更に、密封部材６としての再利用が可能な、新規なノズル付き密封キャップを提供することができる。
【００２９】
また、本形態の如く、密封部材６を、エラストマ等の、可撓性を有する樹脂からなるものとすれば、比較的容易な開封操作を実現することができる。
【００３０】
ところで、本発明に従えば、可動部６ｃは、密封部６ａを基部６ｂに対して自由に動かせる構成であれば、ひも状の形状等、様々な形状を採用できるが、本形態の如く、天壁２に固定された基部６ｂから周壁３及びノズル４に沿って密着状態で延在する偏平な形状を有するものであれば、密封部６ａの引き剥がしに要する力をノズル４及び周壁３との密着面積に応じて適宜調整することができる。加えて、本形態の如く、可動部６ｃに幅方向に横断する凹部６ｄを設ければ、凹部６ｄを起点に容易に押し上げることができる。
【００３１】
ところで、本形態では、図１(b)等に示すように、天壁２に、空間Ｓに通じる外気導入孔Ａ2が形成されている。外気導入孔Ａ2は、図３等に示すように、可動部６ｃと密着する位置に配置されている。これにより、外気導入孔Ａ2は、ノズル付きキャップ１と密封部材６とを一体に成形したときは、可動部６ｃによって密封されている。このため、外気導入孔Ａ2は、ノズル付きキャップ１から可動部６ｃを引き剥がせば、図４(a)等に示すように外界に開放される。
【００３２】
更に、本形態では、図１(b)等に示すように、可動部６ｃに、外気導入孔Ａ2を密封する凸状部６ｐ1が設けられている。この場合、凸状部６ｐ1を外気導入孔Ａ2のキャップとして再利用することができる。また、可動部６ｃを引き上げた後、同図に示すように、天壁２の上面に載せ置けば、凸状部６ｐ1が可動部６ｃのつっかえになる。このため、外気導入孔Ａ2の確保に有効である。
【００３３】
図４(b)は、本発明の第２の形態である。なお、他の形態と同一の部分は、同一の符号をもって、その説明を省略する。
【００３４】
本形態は、第１の形態の変形例である。密封部材６は、可動部６ｃに凸部６ｐ2が一体に設けられている。凸部６ｐ2は、ノズル付きキャップ１に形成した凹部２ｃと嵌合して開口部Ａ1の開封状態を維持する。これにより、密封部材６が邪魔になることなく、容易な注出を実現できる。
【００３５】
上述したところは、本発明の一形態を示したにすぎず、特許請求の範囲内において、種々の変更を加えることができる。本発明に従えば、例えば、ノズル付き密封キャップは、密封部材に対してノズル付きキャップをインサート品として互いに異なる樹脂を用いてノズル付きキャップを剥離可能に一体に成形することもできる。また、密封部材６は、ノズル付きキャップ１と異なる色彩のものとすることができる。この場合、未使用状態を視覚的に認識し易くなる。また、ノズル付き密封キャップは、中栓５０を介在させることなく、容器口部１１０に直接装着することができる。各形態に採用された各構成はそれぞれ、互いに適宜組み合わせることができる。
【産業上の利用可能性】
【００３６】
本発明は、天壁から垂下する周壁と該周壁から突出するノズルを有して、当該ノズルの先端に形成された開口部より容器からの内容物が注出される合成樹脂製のノズル付きキャップであれば、様々なものに適用することができる。
【符号の説明】
【００３７】
１    ノズル付きキャップ
２    天壁
３    周壁
４    ノズル
４ａ  ノズル先端
５    ノズル通路
６    密封部材
６ａ  密封部
６ｂ  基部
６ｃ  可動部
６ｄ  凹部
６ｐ1   凸状部
６ｐ2   凸部
【図１】
0005467995.tif 000002
【図２】
0005467995.tif 000003
【図３】
0005467995.tif 000004
【図４】
0005467995.tif 000005